(57)【要約】【課題】地震警報器の機能と家庭日用品の時計の基本的機能である目覚まし機能、時刻表示機能を有する地震警報時計を提供する。【解決手段】本考案の地震警報時計は、時刻を表示する時刻ディスプレイ装置（１２）と、時刻ディスプレイ装置の中に設置される発声器と、時刻ディスプレイ装置の中に設置される検出器（１４）とを備え、検出器（１４）は該発声器と連接し、震動を感知し、発声器に警告音声を発声させることを可能とする。【選択図】図２
0003134344.tif 000002
【実用新案登録請求の範囲】
【請求項１】
時刻ディスプレイ装置と発声器と検出器とを備える地震警報時計であって、
該時刻ディスプレイ装置は、時刻を表示し、
該発声器は、該時刻ディスプレイ装置の中に設置され、
該検出器は、該時刻ディスプレイ装置の中に設置され、該発声器と連接し、震動を感知し、該発声器に警告音声を発声させることが可能なことを特徴とする地震警報時計。
【請求項２】
更に移動部品を備え、該移動部品は該時刻ディスプレイ装置の上に設置され、該検出器を作動させることが可能なことを特徴とする請求項１記載の地震警報時計。
【請求項３】
該時刻ディスプレイ装置の上に定位部が設置され、該移動部品は脱離可能に定位部に設けられていることを特徴とする請求項２記載の地震警報時計。
【請求項４】
該時刻ディスプレイ装置の上にガイド部品が設けられ、
該定位部は、ガイド部品上に設けられ、
該移動部品は、ガイド部品上を移動することを特徴とする請求項３記載の地震警報時計。
【請求項５】
該ガイド部品は、レールを有し、該定位部はレール上に設けられていることを特徴とする請求項４記載の地震警報時計。
【請求項６】
該定位部は、凹んだものであることを特徴とする請求項５記載の地震警報時計。
【請求項７】
該移動部品は球体であることを特徴とする請求項６記載の地震警報時計。
【請求項８】
該時刻ディスプレイ装置は、周知の時針と分針を有する時計であることを特徴とする請求項１記載の地震警報時計。
【請求項９】
該時刻ディスプレイ装置は、周知の数字で時間を表示する電子時計であることを特徴とする請求項１記載の地震警報時計。
【考案の詳細な説明】
【技術分野】
【０００１】
本考案は時刻ディスプレイ装置に係る創作であって、更に詳しくは、一種の地震警報時計に関するものである。
【背景技術】
【０００２】
周知の天然災害の中で、地震は常に人の生命、財産に対して重大なる損害をもたらす。震度、規模が高い地震による損害は更に大きい。台湾、日本は地殻層の活動が頻繁な地震帯上にあるので、地震の頻度は非常に高い。もしも昼間に地震が発生したときは、人々の大部分は、意識がはっきりしている状態にあるので、注意力が高く、退避するのが容易である。しかし、地震が熟睡中の深夜に発生したときは、地震によって目醒めた人の意識は比較的鈍いために、退避するのが比較的むずかしい。更に、地震によって目が醒めない睡眠中の人達にとっては、退避の能力はゼロである。
【０００３】
現在、市場で販売している地震警報機は、地震が発生した時に人々に退避を警告することができる。でも、もしも習用の家庭日常用品にも地震警報等の機能があったら更に消費者の購買を引きおこすことができ、これによって人々の生命、財産の保障に対して貢献することができる。
【考案の開示】
【考案が解決しようとする課題】
【０００４】
しかしながら、上記で述べたように現在市場で販売している地震警報器は、ただ地震が発生した時に、人々に対して退避を警告する機能だけであり、その他の機能はない。
【課題を解決するための手段】
【０００５】
本考案は上記の点を解決するためになされたものであり、一種の地震警報時計を提供する。該地震警報時計は、基本の目覚まし時計、時刻ディスプレイ機能がある外に、地震が発生した時に、更に警示音声を出して、人々に退避を警告する。
本考案の地震警報時計は、時刻ディスプレイ装置と発声器と検出器とを備える構成である。これによって上記の課題を達成することができる。
【考案を実施するための最良の形態】
【０００６】
（実施例１）
以下、図面に従って本考案の好ましい実施例を説明する。
図１、図２を参照し、本考案の実施例１を説明する。１０は、本考案の好ましい実施例１の地震警報時計である。該地震警報時計１０は、時刻ディスプレイ装置１２と、発声器（図の中には表示していない）及び、検出器１４から構成されている。該時刻ディスプレイ装置１２は、周知の時針と分針がある時計である。該発声器は、周知の音声ベルであって、該時刻ディスプレイ装置１２の中に設置されている。該時刻ディスプレイ装置１２には、上に向かって突伸した弧状のガイド部品２２が設けられている。該ガイド部品２２には、断面がやや凹み状になっているレール２４があって、該レール２４の頂端の底側には定位部２６が設けられている。該定位部２６は凹んだものである。該検出器１４は、周知の赤外線センサーである。該検出器１４は、ガイド部品２２の低端に設置されていて並びに発声器１４と電気連接している。この外に、更に移動部品１６を含む、該移動部品１６は球体であって、該移動部品１６はローリングする動きができるように該レール２４の中に設けられている。該移動部品１６は、通常では、該レール２４の定位部２６の中に置かれている。
【０００７】
これで、本考案の該地震警報時計１０は、家の中の任意の物品の平面上に置くことができる。又、該ガイド部品２２によって壁上に吊り掛けることができる。一般での使用状態では、該地震警報時計１０は、電動の目覚まし時計に使用することができる。
第３図に示すように、地震が発生した時では、該地震警報時計１０は、振れる動きを受けて、該移動部品１６が定位部２６から脱出して、該レール２４に沿って落下する。該移動部品１６がレール２４の底部に落ちて検出器１４と接触した時には、該発声器は音声を発出して使用者に早く退避するように警告する。
【０００８】
（実施例２）
図４を参照し、本考案の実施例２を説明する。本考案の別の好ましい実施例２の地震警報時計３０の構造は、ほとんどの構成は上記の該地震警報時計１０と同じであり、違った所は、ガイド部品３２は、小さいねじりの外形に設計されている。レール３４は、小さいねじりの両手であって、二つの検出器３６は、周知のタッチ式センサーで、該レール３４上に設置されていて、地震のときに、該レール３４の上に置かれている移動部品３８が振り動いて検出器３６をタッチして、該発声器に音声を出させて使用者に早く退避するように警告する。
（実施例３）
【０００９】
図５を参照し、本考案の実施例３を説明する。本考案のまた別の好ましい実施例３の地震警報時計４０の構造のうち、上記に示した該地震警報時計１０と違った所は、ガイド部品４２には、レールがなく、取外しができるタイプの外殻４４と、外殻４４の内部にある支え部品４６で組合したものである。二つの検出器４８は、外殻４４の内部の底端に設けている。これで、該支え部品４６の頂端に置いている移動部品４９は、地震が発生した時に落ちて検出器４８をタッチして動かす。
【００１０】
（実施例４）
図６を参照し、本考案の実施例４を説明する。本考案のまた別の好ましい実施例４の地震警報時計５０の構造のうち、上記に示した該地震警報時計１０と違った所は、移動部品５２は、天秤であって、時計５４の頂端に設置されている。二つの検出器５６は、時計５４の二側の移動部品５２の対応した二端の所に設置されていて、地震が発生した時に該移動部品５２は、振り動いて、末端で検出器５６を打ちたたく。
【００１１】
この他に、本考案の地震警報時計上には更に夜間蛍光板、灯具、電波発信装置、ラジオ、調音波レシーバー装置或いは、手動発電装置等の装置（図面の中には表示していない）を増設することができる。これで万一地震によって停電、又は家屋が損害を受けて倒れて脱出ができない時は、灯具の照明、或いは電波発信装置を利用して信号を発射して、容易に救急人員に発現される、或いは、ラジオを利用して外部のニュースを聞くことができる、及び調音波レシーバー装置を利用して救急人員と対話ができる。万一、電気がない時にも、手動発電装置を利用して電力を発生し、前記の機能に必要の電力を供給して、死亡を免れ、救急人員に助けられる機能を得ることができる。
【００１２】
付け加えて説明することは、本考案の地震警報時計に使用される検出器は、赤外線或いは、タッチ式センサーに限らず、又、移動部品の起動が必要ない震動センサー或いは、その他の移動部品の接触を必要としないセンサー、只時計の震動を感じるのを必要で、発声器に警示の音声を発出することができるのも、本考案の範囲であることを強調する。
【００１３】
（本考案の効果）
上記で述べたように本考案は、地震警報器の機能がある外に、目覚まし時計、時刻ディスプレイの機能もある家庭日常用品である時計であるので、実用上の価値がある。
【図面の簡単な説明】
【００１４】
【図１】本考案の実施例１の外観図。
【図２】本考案の実施例１の側面図。
【図３】本考案の実施例１の使用図。
【図４】本考案の実施例２の外視図。
【図５】本考案の実施例３の外観図。
【図６】本考案の実施例４の外観図。
【符号の説明】
【００１５】
１０：地震警報時計、１２：時刻ディスプレイ、１４：検出器、２２：ガイド部品、１６：移動部品
【図１】
0003134344.tif 000003
【図２】
0003134344.tif 000004
【図３】
0003134344.tif 000005
【図４】
0003134344.tif 000006
【図５】
0003134344.tif 000007
【図６】
0003134344.tif 000008